(57)【特許請求の範囲】
【請求項１】
接点を有する接点部と、この接点部の接点を開閉操作する操作部と、接点部または操作部に設けられたロック機構とを備え、それら操作部と接点部とを連結した状態で、ロック機構をロック位置に操作することによって操作部と接点部とを相互に固定する分離型の操作スイッチにおいて、
前記ロック機構の操作時の動作に連動して前記接点部の接点の状態を切り替える手段を備え、
前記接点部の接点の状態を切り替える手段は、前記ロック機構の操作時の動作に連動するカムと、ばねにより前記カムに押圧されている接点開閉用のアクチュエータとを備え、前記カムが、前記アクチュエータを前記ばねの弾性力に抗して押圧する端面と、前記アクチュエータの先端部が嵌まり込む凹部とを備え、
前記ロック機構をロック位置に操作したときに限って、前記アクチュエータが前記凹部に嵌まり込んで前記カム側に移動して、前記接点の開閉状態が切り替わり、前記接点部の接点が開閉動作可能な状態になる操作スイッチ。
【請求項２】
接点を有する接点部と、この接点部の接点を開閉操作する操作部と、接点部または操作部に設けられたロック機構とを備え、それら操作部と接点部とを連結した状態で、ロック機構をロック位置に操作することによって操作部と接点部とを相互に固定する分離型の操作スイッチにおいて、
前記接点部にモニタ用接点が設けられているとともに、前記ロック機構の操作時の動作に連動して前記接点部のモニタ用接点の状態を切り替える手段を備え、
前記接点部のモニタ用接点の状態を切り替える手段は、ばねにより前記ロック機構に押圧されているモニタ用接点開閉用のアクチュエータと、前記ロック機構に形成されており、前記アクチュエータを前記ばねの弾性力に抗して押圧する凸部とを備え、
前記ロック機構を完全ロック位置に操作したときに限って、前記凸部が前記アクチュエータから外れ前記アクチュエータが前記ロック機構側に移動して、前記モニタ用接点の開閉状態が切り替わり、前記モニタ用接点が正常に動作する操作スイッチ。
【発明の詳細な説明】
【０００１】
【発明の属する技術分野】
本発明は、操作部と接点部とが分離された構造で、それら操作部と接点部とを相互に連結・固定した状態で使用する分離型の操作スイッチに関する。
【０００２】
【従来の技術】
従来、操作部と接点部とを連結して、これらをロック機構の操作により相互に固定する分離型の操作スイッチが知られている。
【０００３】
このような分離型の操作スイッチは、例えば図１２及び図１３に示すように、押釦などを有する操作部２０１を取付パネル１０１の取付孔（図示せず）にパネル表面側から嵌め込み、取付パネル１０１の裏面側からロックナット２０３を用いて操作部２０１を取付パネル１０１に固定し、次いで、接点部２０２を操作部２０１に挿入した状態でロック機構をロック位置に操作することにより、接点部２０２を操作部２０１に固定する構造となっている。
【０００４】
分離型の操作スイッチにおいて、操作部と接点部とを相互に固定するロック機構としては、従来、図１４（Ａ）及び（Ｂ）に示すように、接点部２０２に設けたロックレバー２０４をロック位置側に回動操作することにより、ロックリング２０５が回転し、そのロックリング２０５に設けられた係止爪２５１が操作部２０１のロック溝２１１ｄ（図１２参照）に嵌まり込むことにより、接点部２０２を操作部に固定（ロック）する機構がある。
【０００５】
また、図１５に示すように、接点部２０２自体を操作部（図示せず）に対して回動操作することにより、同様に係止爪２５１を操作部のロック溝に嵌め込んで接点部２０２を操作部に固定する機構がある。
【０００６】
さらに、図１６に示すように、先端に係止爪３２２を有するロック片３２１を接点部３０２側に設ける一方、操作部３０１側に係止凹部３１１を設けておき、接点部３０２を操作部３０１に嵌め込んだ際に、ロック片３２１の係止爪３２２が操作部３０１の係止凹部３１１に引っ掛けることにより、接点部３０２を操作部３０１に固定する機構（ワンタッチ方式）がある。
【０００７】
【発明が解決しようとする課題】
ところで、前記した図１４〜図１６に示すロック機構によれば、操作部への接点部のロックに信頼性を確保することが難しいという問題が残されている。
【０００８】
すなわち、図１４に示すロック機構では、操作スイッチの取付作業時において作業者のミスによりロックレバー２０４の操作忘れ（ロック忘れ）が起きる可能性がある。また、図１６のロック機構では、ワンタッチ方式であるのでロックが不完全な状態のままで取付作業を完了することがあり、図１５のロック機構においても不完全なロック状態となる可能性がある。
【０００９】
さらに、図１４〜図１６のロック機構によれば、いずれも、取付作業完了後（ロック完了後）に、ロックレバー２０４、接点部２０２あるいはロック片３２１に何らかの外力、例えば配線等の引っ掛かりによる力が作用してロックが解除される可能性がある。
【００１０】
そして、以上のようなロック忘れ、不完全なロック状態あるいは作業完了後のロック解除が発生すると、例えば図１７に示すように、操作部２０１を操作した際に、接点部２０２が脱落してしまうという問題がある。特に、接点部にＢ接点（常時閉）を使用する非常停止スイッチでは、非常時の操作により開離されるはずの接点が開離されなくなってしまうと、非常に危険である。
【００１１】
なお、以上のような問題を解消する対策として、ロック機構のロックレバーなどをロック状態の確認がしやすい形状・構造にする方法、あるいはロックが完了した後にロック機構のロック解除を阻止する機能や確実にロックされていることを確認できる機能を持たせた部品を追加する方法などが採られているが、これらの方法は、いずれも、作業者の意志に依存しているため、完全な安全対策という点では不十分である。
【００１２】
本発明はそのような実情に鑑みてなされたもので、ロック忘れ、不完全なロック状態あるいは作業完了後のロック解除などのロック不良を電気的にモニタすることができ、安全性を事前に確認することが可能な分離型の操作スイッチの提供を目的とする。
【００１３】
【課題を解決するための手段】
本発明の操作スイッチは、接点を有する接点部と、この接点部の接点を開閉操作する操作部と、接点部または操作部に設けられたロック機構とを備え、それら操作部と接点部とを連結した状態で、ロック機構をロック位置に操作することによって操作部と接点部とを相互に固定する分離型の操作スイッチにおいて、前記ロック機構の操作時の動作に連動して前記接点部の接点の状態を切り替える手段を備え、前記接点部の接点の状態を切り替える手段は、前記ロック機構の操作時の動作に連動するカムと、ばねにより前記カムに押圧されている接点開閉用のアクチュエータとを備え、前記カムが、前記アクチュエータを前記ばねの弾性力に抗して押圧する端面と、前記アクチュエータの先端部が嵌まり込む凹部とを備え、前記ロック機構をロック位置に操作したときに限って、前記アクチュエータが前記凹部に嵌まり込んで前記カム側に移動して、前記接点の開閉状態が切り替わり、前記接点部の接点が開閉動作可能な状態になるように構成されていることを特徴としている。
【００１４】
この発明の操作スイッチによれば、ロック機構をロック位置に操作したときに限って接点部の接点が開閉動作可能な状態になるように構成しているので、操作部に接点部が確実にロックされているときに限って接点部の接点が正常に動作する。従って、ロック状態の良否を電気的にモニタすることが可能になる。
【００１５】
また、接点部にＢ接点を使用する場合、ロック機構がロック位置にセットされているときに限ってＢ接点がＯＮ状態となり、それ以外の場合、例えばロック忘れ、不完全なロック状態あるいは作業完了後のロック解除などのロック不良が発生している場合には、接点部のＢ接点は常に開離される。従って、安全性を事前に確認することができる。
【００１６】
本発明の操作スイッチは、接点を有する接点部と、この接点部の接点を開閉操作する操作部と、接点部または操作部に設けられたロック機構とを備え、それら操作部と接点部とを連結した状態で、ロック機構をロック位置に操作することによって操作部と接点部とを相互に固定する分離型の操作スイッチにおいて、前記接点部にモニタ用接点が設けられているとともに、前記ロック機構の操作時の動作に連動して前記接点部のモニタ用接点の状態を切り替える手段を備え、前記接点部のモニタ用接点の状態を切り替える手段は、ばねにより前記ロック機構に押圧されているモニタ用接点開閉用のアクチュエータと、前記ロック機構に形成されており、前記アクチュエータを前記ばねの弾性力に抗して押圧する凸部とを備え、前記ロック機構を完全ロック位置に操作したときに限って、前記凸部が前記アクチュエータから外れ前記アクチュエータが前記ロック機構側に移動して、前記モニタ用接点の開閉状態が切り替わり、前記モニタ用接点が正常に動作するように構成されていることを特徴としている。
【００１７】
この発明の操作スイッチによれば、ロック機構が完全ロック状態のときつまり操作部に接点部が確実にロックされているときに限って、接点部のモニタ用接点が正常に動作するので、モニタ用接点を利用して、ロック状態の良否を電気的にモニタすることが可能になる。
【００１９】
【発明の実施の形態】
以下、本発明の実施形態を図面に基づいて説明する。
【００２０】
まず、本発明を適用する分離型の非常停止スイッチ（プッシュロックターンリセット式押釦スイッチ）を図１〜図３を参照しながら説明する。
【００２１】
図１に示す非常停止スイッチは、操作部１、接点部２及びロックナット３を備えている。
【００２２】
操作部１は、円筒状の操作部本体１１と、操作プレート１２を有する操作軸（図示せず）を備え、その操作軸が操作部本体１１内に摺動自在に嵌め込まれている。操作軸は、復帰ばね（図示せず）により前方側に向けて付勢されており、この操作軸の前端に押釦１３が設けられている。
【００２３】
操作部本体１１には、フランジ部１１ａと雄ねじ部１１ｂが形成されており、そのフランジ部１１ａの後端面にゴムワッシャ（図示せず）が設けられている。
【００２４】
操作部１は、取り付けに際して、取付パネル１０１の取付孔１０２に表側（図の表側）から挿入し、操作部本体１１のフランジ部１１ａの後端面（ゴムワッシャ）を取付パネル１０１の表面に当接させた状態で、取付パネル１０１の裏面側からロックナット３を雄ねじ部１１ｂにねじ込んで締付けることにより、取付パネル１０１に固定される。操作部本体１１の雄ねじ部１１ｂの後方側には、複数の固定ガイド溝１１ｃと、この固定ガイド溝１１ｃに連通して周方向に延びるロック溝１１ｄとが形成されている。
【００２５】
接点部２は、連結ユニット２１と接点ユニット２２によって構成されている。連結ユニット２１の内部には、操作部１の固定ガイド溝１１ｃに嵌まり込む複数の突起２１ａ・・２１ａと、ユニット中心軸を中心として回動自在なロックリング５が設けられている。ロックリング５には連結ユニット２１の外部に突出するロックレバー４が一体形成されている。また、ロックリング５の内周部には、操作部１のロック溝１１ｄに嵌まり込むことが可能な係止爪５１・・５１が一体形成されている。
【００２６】
係止爪５１・・５１は、連結ユニット２１内部の突起２１ａと対応する個数・位置関係で設けられており、ロックレバー４をロック解除位置（図２の二点鎖線で示す位置）に配置した状態のときに、各係止爪５１がそれぞれ対応する突起２１ａに一致し、ロックレバー４をロック位置に回動操作したときに、図２に示すように、突起２１ａに対して回転方向にずれた位置に移動する。
【００２７】
接点ユニット２２には、Ｂ接点２３（図５、図６参照）が内蔵されており、そのＢ接点２３のホルダ（接点開閉用のアクチュエータ）２４の先端部が連結ユニット２１の前方側に突出している（図３）。ホルダ２４は、操作部１の操作プレート１２に対応する位置関係で設けられており、操作部１に接点部２を連結・固定した状態で、ホルダ２４の先端が操作プレート１２に対向するか、もしくは当接する。
【００２８】
なお、ロックレバー４には操作孔４ａが設けられている。この操作孔４ａは、例えば取り付けに際してロックレバー４の近傍に、指でロックレバー４を操作することができるだけの空間が無いような場合に、ドライバーなどの工具を操作孔４ａ嵌入してロックレバー４を回動操作するためのものである。
【００２９】
以上の押釦スイッチを取付パネル１０１に取り付ける手順を説明する。
【００３０】
まず、取付パネル１０１の取付孔１０２に操作部１を取付パネル１０１の表面側から嵌め込み、取付パネル１０１の裏面側からロックナット３を雄ねじ部１１ｂにねじ込んで操作部１を取付パネル１０１に固定する。
【００３１】
次に、ロックレバー４をロック解除位置に配置した接点部２を、取付パネル１０１の裏面側に配置し、連結ユニット２１の突起２１ａを操作部１の固定ガイド溝１１ｃに位置決めした状態でスライドさせながら接点部２を操作部本体１１に挿入して接点部２を操作部１に連結した状態で、ロック解除位置にあるロックレバー４をロック位置に向けて回動操作する。このロックレバー４の回動操作により、ロックリング５の係止爪５１が操作部１のロック溝１１ｄに嵌まり込んで接点部２が操作部１に固定（ロック）される。そして、以上の連結・ロック状態で操作部１の押釦１３を押すと、操作軸の操作プレート１２にて接点部２のホルダ２４が押されて、接点ユニット２２に内蔵のＢ接点２３が開離してＯＦＦ状態となる。
【００３２】
次に、本発明の実施形態を図面に基づいて以下に詳細に説明する。
【００３３】
＜実施形態１＞
図４及び図５は本発明の実施形態の要部構造を模式的に示す図である。図６は図５のＸ部の拡大図である。なお、図５（Ａ）と（Ｂ）はそれぞれロック解除状態とロック状態を示している。
【００３４】
この実施形態の特徴部分は、接点部２の連結ユニット２１に設けたロックリング５に円筒カム６を一体形成して、ロックレバー４がロック解除位置にあるときには、接点ユニット２２内のＢ接点２３が開離されるようにした点にある。その詳細を以下に説明する。
【００３５】
円筒カム６は、接点部２に配置のＢ接点２３のホルダ２４を圧縮コイルばね２５の弾性力に抗して押圧するための円周端面６０と、ホルダ２４の先端部が嵌まり込むことが可能な凹部６１を備えている。円筒カム６と、ホルダ２４及び操作プレート１２とは図６に示すような位置関係となっている。
【００３６】
円筒カム６は、前記したようにロックリング５に一体形成されており、ロックレバー４を回動操作すると、これに連動して円筒カム６が回転し、ロックレバー４をロック解除位置に配置したときに、図５（Ａ）に示すように、円筒カム６の円周端面６０にてＢ接点２３のホルダ２４が押されてＢ接点２３が開離の状態（ＯＦＦ状態）となる。
【００３７】
一方、ロックレバー４をロック解除位置からロック位置に向けて回動操作すると、これに連動して円筒カム６が回転し、その円筒カム６の凹部６１がＢ接点２３のホルダ２４に一致した時点（ロック位置）で、円筒カム６の凹部６１内にホルダ２４の先端部が嵌まり込み、図６に示すように、Ｂ接点２３がＯＦＦ状態からＯＮ状態に切り替わる。
【００３８】
また、このような完全ロック状態（図６の状態）から、ロックレバー４をロック解除位置に向けて、ロック時とは逆向きに回動操作すると、ホルダ２４の先端面が、円筒カム６の凹部６１の内面によって圧縮コイルばね２５の弾性力に抗して押され、その押圧過程においてＢ接点２３が開離されてＯＦＦ状態に切り替わり、ロックレバー４をロック解除位置まで回動操作した時点で、図５（Ａ）に示す状態に戻る。
【００３９】
次に、この実施形態の作用を図７及び図８を参照しながら説明する。
【００４０】
まず、図７（Ａ）に示すように、接点部２を操作部１に装着していない状態（ロック解除状態）では、接点ユニット２２内のＢ接点２３は常に開離された状態（ＯＦＦ状態）が維持される。従って、接点ユニット２２に配線接続を行って通電可能状態としても、安全上の問題は発生しない。
【００４１】
次に、図７（Ｂ）に示すように、操作部１の操作部本体１１に接点部２を嵌め込んだ状態で、ロックレバー４をロック位置（完全ロック位置）までしっかりと回動すると、接点部２が操作部１に固定（ロック）されると同時に、Ｂ接点２３のホルダ２４の先端部が円筒カム６の凹部６１内に嵌まり込んで、Ｂ接点２３がＯＦＦ状態からＯＮ状態に切り替わる。
【００４２】
このように、この実施形態では、ロックレバー４をロック位置に正常な状態で配置したときに限って、接点ユニット２２内のＢ接点２３がＯＮ状態となる。
【００４３】
一方、操作部１の操作部本体１１に接点部２を嵌め込んだ後、ロックレバー４の操作を忘れた場合（ロック忘れ）、あるいはロックレバー４の操作は行ったものの、何らかの理由によりロック状態が不完全となった場合には、図８に示すように、接点ユニット２２内のＢ接点２３は開離の状態（ＯＦＦ状態）が保たれる。従って、ロック不良状態のままで装着作業及び配線作業を終えた後の、動作確認時などに予めロック不良を電気的にチェックできるので、危険が及ぶことはない。
【００４４】
また、図７（Ｂ）のような正常な状態でロックが完了（完全ロック）した後において、ロックレバー４に何らかの外力が作用した場合、例えば配線等の引っ掛かりによる力が作用してロックレバー４が動いた場合には、ロックレバー４の動きに伴って円筒カム６が回転して、接点ユニット２２内のＢ接点２３が開離される。従って、この場合も、安全面において問題が生じることがない。
【００４５】
以上のように、この実施形態においては、完全ロック状態のときつまり操作部１に接点部２が確実にロックされているときに限って、接点部２内のＢ接点２３が正常に動作するので、ロック状態の良否を電気的にモニタすることが可能になる。しかも、正常なロック位置にセットされているときに限って、接点部２のＢ接点２３がＯＮ状態となり、それ以外の場合、例えばロック忘れ、不完全なロック状態あるいは作業完了後のロック解除などのロック不良が発生している場合には、Ｂ接点２３は常に開離されるので、安全性を十分に確保することができる。
【００４６】
なお、以上の実施形態では、接点部２にＢ接点を設けた例を示したが、本発明はこれに限られることなく、接点部にＡ接点（常時開）を設けた操作スイッチにも適用できる。
【００４７】
＜実施形態２＞
図９は本発明の他の実施形態の要部構成を模式的に示す図である。なお、図９（Ａ）と（Ｂ）はそれぞれロック解除状態とロック状態を示している。また、図示はしていないが、この実施形態に用いる操作部は図１、図２と同様な構造とする。
【００４８】
この実施形態では、接点部１２０の内部にモニタ用接点（Ｂ接点）７が設けられている。このモニタ用接点７はロックリング５の下方位置に配置されている。
【００４９】
ロックリング５には、外周部の所定位置に押圧用の凸部（カム）５２が一体形成されており、ロックレバー４をロック解除位置に配置した状態で、図９（Ａ）に示すように、ロックリング５の凸部５２によって、モニタ用接点７のホルダ７１が圧縮コイルばね７２の弾性力に抗して図中下方に押され、モニタ用接点７が開離された状態（ＯＦＦ状態）となる。
【００５０】
一方、ロックレバー４をロック解除位置（図９（Ａ）に示す位置）から、ロック位置に向けて回動操作すると、まず、ロックリング５の凸部５２がモニタ用接点７のホルダ７１から外れ、次いでホルダ７１先端の規制（ロックリング５による規制）が完全に解除された時点つまりロックレバー４が完全ロック位置に達した時点で、図９（Ｂ）に示すように、圧縮コイルばね７２の弾性力によってモニタ用接点７がＯＦＦ状態からＯＮ状態に切り替わる。また、このＯＮ状態（ロック位置）から、ロックレバー４がロック解除位置に向けて動くと、ロックリング５の凸部５２によってホルダ７１が下方へと押されてモニタ用接点７が開離された状態（ＯＦＦ状態）となる。
【００５１】
以上のように、この実施形態においては、完全ロック状態のときつまり操作部に接点部１２０が確実にロックされているときに限って、接点部１２０内のモニタ用接点７が正常に動作するので、モニタ用接点７を利用して、ロック状態の良否を電気的にモニタすることが可能になる。
【００５２】
なお、図９の実施形態において、モニタ用接点７（補助接点）は、接点部１２０に使用する通常の接点（主接点）とパラレル接続であってもよいし、シリアル接続であってもよい。また、モニタ用接点としてＢ接点に替えてＡ接点（常時開）を用いてもよい。
【００５３】
図９に示す実施形態では、モニタ用接点７をロックリング５の下方位置に設けているが、モニタ用接点７の配置位置はロックリング５の側方位置であってもよい。
【００５４】
＜実施形態３＞
図１０は本発明の別の実施形態に適用するロック機構を模式的に示す斜視図である。図１１は本発明の別の実施形態の要部構造を模式的に示す図である。図１１（Ａ）と（Ｂ）はそれぞれロック解除状態とロック状態を示している。
【００５５】
この実施形態では、回転方式のロック機構に替えて、ロックプレート８を操作部１１０の中心軸と直交する方向（上下方向）にスライドさせて、接点部１２０を操作部１１０に固定するスライド方式のロック機構を採用している。
【００５６】
ロックプレート８は接点部１２０に設けられている。ロックプレート８には、操作部１１０の操作部本体１１１を嵌め込むことが可能な円形貫通穴８１と、この円形貫通穴８１に連通して一方向（下方）に延びる矩形貫通穴８２が形成されている。
【００５７】
一方、操作部本体１１１には、外周部の一部を切り欠いた形状の２つのロック溝１１２が設けられている。２つのロック溝１１２の垂直面（底面）１１２ａは互いに平行であり、それら２つの垂直面１１２ａ，１１２ａの距離は、ロックプレート８の矩形貫通穴８２の幅よりも所定量だけ小さい寸法に加工されている。また、各ロック溝１１２の溝幅は、ロックプレート８の厚みよりも所定量だけ大きい寸法に加工されている。
【００５８】
そして、この実施形態では、接点部１２０の内部にモニタ用接点（Ｂ接点）７が設けられている。このモニタ用接点７はロックプレート８の下方位置に配置されている。モニタ用接点７のホルダ７１の上端はロックプレート８の下端に固着されており、ロックプレート８のスライド移動（上下移動）に連動してホルダ７１が上下方向に移動する。
【００５９】
次に、この実施形態の作用を操作部１１０への接点部１２０の固定手順とともに説明する。
【００６０】
まず、操作部１１０を取付パネル１０１（図１参照）に固定しておく。次に、ロックプレート８を、モニタ用接点７の圧縮コイルばね７２の弾性力に抗して、図１１（Ａ）の位置まで押圧した状態（モニタ用接点７はＯＦＦ状態）で、ロックプレート８の円形貫通穴８１に操作部本体１１１を挿し込み、次いで操作部本体１１１のロック溝１１２をロックプレート８の矩形貫通穴８２に位置合わせした状態で、ロックプレート８の押圧を解除する。このようにすると、図１１（Ｂ）に示すように、ロックプレート８が圧縮コイルばね７２の弾性力にて上方にスライドして、操作部本体１１１のロック溝１１２の形成部分がロックプレート８の矩形貫通穴８２に嵌まり込み、接点部１２０が操作部１１０に固定される。これと同時にモニタ用接点７がＯＦＦ状態からＯＮ状態に切り替わる。
【００６１】
ここで、ロック作業時において、ロックプレート８がロック位置（図１１（Ｂ）の位置）までスムーズにスライドせずに、途中で引っ掛かった状態となった場合にはモニタ用接点７はＯＦＦ状態のままとなる。従って、この実施形態では、ロックプレート８が正規のロック位置（完全ロック位置）にあるときに限って、接点部１２０内のモニタ用接点７が正常に動作するので、そのモニタ用接点７を利用して、ロック状態の良否を電気的にモニタすることが可能になる。
【００６２】
なお、図１１の実施形態において、モニタ用接点７（補助接点）は，接点部１２０に使用する通常の接点（主接点）とパラレル接続であってもよいし、シリアル接続であってもよい。また、モニタ用接点としてＢ接点に替えてＡ接点（常時開）を用いてもよい。
【００６３】
図１１に示す実施形態では、ロックプレート８を上下方向にスライドする構造としているが、横方向（水平方向）にロックプレート８をスライドすることにより、接点部１２０を操作部１１０に対して固定（ロック）する構造であってもよい。この場合、当然のことながら、モニタ用接点７はロックプレート８の側方に配置する。
【００６４】
なお、以上の各実施形態では、ロック機構を接点部側に設けているが、本発明はこれに限られることなく、操作部側にロック機構を設けた操作スイッチにも適用可能である。
【００６５】
また、本発明は、非常停止用として用いられるプッシュロックターンリセット式押釦スイッチのほか、例えば照光式押釦スイッチあるいはセレクタスイッチなどの各種の分離型の操作スイッチに適用可能である。
【００６６】
【発明の効果】
以上説明したように、本発明によれば、接点を有する接点部と、この接点部の接点を開閉操作する操作部と、接点部または操作部に設けられたロック機構とを備え、それら操作部と接点部とを連結した状態で、ロック機構をロック位置に操作することによって操作部と接点部とを相互に固定する分離型の操作スイッチにおいて、ロック機構をロック位置に操作したときに接点部の接点が開閉動作可能な状態になるように構成しているので、操作部に接点部が確実にロックされているときに限って接点部の接点が正常に動作する。従って、ロック状態の良否を電気的にモニタすることが可能になる。
【００６７】
また、本発明によれば、接点を有する接点部と、この接点部の接点を開閉操作する操作部と、接点部または操作部に設けられたロック機構とを備え、それら操作部と接点部とを連結した状態で、ロック機構をロック位置に操作することによって操作部と接点部とを相互に固定する分離型の操作スイッチにおいて、ロック機構が完全ロック状態のときつまり操作部に接点部が確実にロックされているときに限って、接点部のモニタ用接点が正常に動作するので、モニタ用接点を利用して、ロック状態の良否を電気的にモニタすることが可能になる。
【図面の簡単な説明】
【図１】本発明を適用する分離型の非常停止スイッチの構造を示す分解斜視図である。
【図２】図１の非常停止スイッチを構成する接点部の正面図である。
【図３】図１の非常停止スイッチを構成する接点部の接点ユニットのみを抽出して示す側面図である。
【図４】本発明の実施形態の要部構造を模式的に示す斜視図である。
【図５】同じく実施形態の要部構造を模式的に示す図である。
【図６】図５のＸ部の拡大図である。
【図７】図４〜図６に示す実施形態の作用説明図である。
【図８】同じく実施形態の作用説明図である。
【図９】本発明の他の実施形態の要部構造を模式的に示す図である。
【図１０】本発明の別の実施形態に適用するロック機構を模式的に示す斜視図である。
【図１１】本発明の別の実施形態の要部構造を模式的に示す図である。
【図１２】分離型の操作スイッチの一例を示す分解斜視図である。
【図１３】図１２の操作スイッチを取付状態で示す側面図である。
【図１４】分離型の操作スイッチのロック機構の一例を模式的に示す図である。
【図１５】分離型の操作スイッチのロック機構の他の例を模式的に示す図である。
【図１６】分離型の操作スイッチのロック機構の別の例を模式的に示す図である。
【図１７】分離型の操作スイッチの問題点の説明図である。
【符号の説明】
１  操作部
１１  操作部本体
１１ａ  フランジ部
１１ｂ  雄ねじ部
１１ｃ  固定ガイド溝
１１ｄ  ロック溝
１２  操作プレート
１３  押釦
２  接点部
２１  連結ユニット
２１ａ  突起
２２  接点ユニット
２３  Ｂ接点
２４  ホルダ
２５  圧縮コイルばね
３  ロックナット
４  ロックレバー
５  ロックリング
５１  係止爪
６  円筒カム
６０  円周端面
６１  凹部
７  モニタ用接点
１０１  取付パネル
１０２  取付孔
【図１】
0004169995.tif 000002
【図２】
0004169995.tif 000003
【図３】
0004169995.tif 000004
【図４】
0004169995.tif 000005
【図５】
0004169995.tif 000006
【図６】
0004169995.tif 000007
【図７】
0004169995.tif 000008
【図８】
0004169995.tif 000009
【図９】
0004169995.tif 000010
【図１０】
0004169995.tif 000011
【図１１】
0004169995.tif 000012
【図１２】
0004169995.tif 000013
【図１３】
0004169995.tif 000014
【図１４】
0004169995.tif 000015
【図１５】
0004169995.tif 000016
【図１６】
0004169995.tif 000017
【図１７】
0004169995.tif 000018